(57)【特許請求の範囲】
【請求項１】
ケイ酸アルカリ水溶液からなる原料液を含む複数種の原料液を用いる水処理用凝集剤の製造方法において、循環用配管によって、第１の原料液の収容槽から収容液を流出せしめた後に、再びそれを同槽内に循環流入させるようにし、かつ、上記循環の途中において、上記循環用配管内にケイ酸アルカリ水溶液からなる原料液である第２の原料液を流入して第１の原料液と混合させ、上記循環を繰り返すことにより、上記循環用配管内及び上記収容槽内において上記第１の原料液と上記第２の原料液との混合及び重合反応を生ぜしめて凝集剤とすることを特徴とする、水処理用凝集剤の製造方法。
【請求項２】
上記第１の原料液が金属塩水溶液であり、上記第２の原料液がケイ酸アルカリ水溶液であることを特徴とする、請求項１記載の水処理用凝集剤の製造方法。
【請求項３】
上記第１の原料液が金属塩水溶液と鉱酸との混合液であり、上記第２の原料液がケイ酸アルカリ水溶液であることを特徴とする、請求項１記載の水処理用凝集剤の製造方法。
【請求項４】
ケイ酸アルカリ水溶液からなる原料液を含む複数種の原料液を用いる水処理用凝集剤の製造方法において、循環用配管によって、第１の原料液の収容槽から収容液を流出せしめた後に、再びそれを同槽内に循環流入させるようにし、かつ、上記循環の途中において、上記循環用配管内に第２の原料液及びさらに第３の原料液を流入して第１の原料液と混合させ、上記循環を繰り返すことにより、上記循環用配管内及び上記収容槽内において上記第１の原料液、上記第２の原料液及び第３の原料液の混合及び重合反応を生ぜしめて凝集剤とし、上記第２又は第３の原料液のいずれかがケイ酸アルカリ水溶液であることを特徴とする、水処理用凝集剤の製造方法。
【請求項５】
上記第１の原料液が金属塩水溶液であり、上記第２の原料液が鉱酸であり、上記第３の原料液がケイ酸アルカリ水溶液であることを特徴とする、請求項４記載の水処理用凝集剤の製造方法。
【請求項６】
上記第１の原料液が金属塩水溶液であり、上記第２の原料液がケイ酸アルカリ水溶液であり、上記第３の原料液が鉱酸であることを特徴とする、請求項４記載の水処理用凝集剤の製造方法。
【請求項７】
上記第１の原料液が鉱酸であり、上記第２の原料液がケイ酸アルカリ水溶液であり、上記第３の原料液が金属塩水溶液であることを特徴とする、請求項４記載の水処理用凝集剤の製造方法。
【請求項８】
上記第１の原料液が鉱酸であり、上記第２の原料液が金属塩水溶液であり、上記第３の原料液がケイ酸アルカリ水溶液であることを特徴とする、請求項４記載の水処理用凝集剤の製造方法。
【請求項９】
ケイ酸アルカリ水溶液がケイ酸ナトリウム水溶液であることを特徴とする、請求項２、３、５、６、７又は８記載の水処理用凝集剤の製造方法。
【請求項１０】
金属塩水溶液が塩化第二鉄水溶液であることを特徴とする、請求項２、３、５、６、７又は８記載の水処理用凝集剤の製造方法。
【請求項１１】
鉱酸が硫酸であることを特徴とする、請求項３、５、６、７又は８記載の水処理用凝集剤の製造方法。
【請求項１２】
循環用配管内への第２の原料液及び／又は第３の原料液の流入と混合を、循環用配管内において流入部位の近傍に設けた内径狭窄部に生じせしめた負圧による吸引と混合によって行うことを特徴とする、請求項１ないし請求項８のいずれかに記載の水処理用凝集剤の製造方法。
【請求項１３】
循環用配管内への第２の原料液及び／又は第３の原料液の流入と混合を、流入用配管の途中に設けた送給ポンプと、循環用配管内流入部位の近傍に設けた撹拌混合装置によって行うことを特徴とする、請求項１ないし請求項８のいずれかに記載の水処理用凝集剤の製造方法。
【請求項１４】
ケイ酸アルカリ水溶液からなる原料液を含む複数種の原料液をそれぞれ収容する複数の原料液収容槽を有する水処理用凝集剤製造装置であって、第１の原料液収容槽と、いずれか一方はケイ酸アルカリ水溶液の収容槽である第２の原料液収容槽及び／又は第３の原料液収容槽と、上記第１の原料液収容槽内の収容液を当該槽から流出させた後に再び当該槽内に流入させる循環用配管とを有し、上記循環用配管には、循環途中において上記第２の原料液収容槽及び／又は第３の原料液収容槽内の収容液を、循環用配管内に流入して混合せしめるための流入混合部を設けることを特徴とする、水処理用凝集剤製造装置。
【請求項１５】
循環用配管内には、上記各流入混合部の近傍位置に、第２の原料液及び／又は第３の原料液を吸引するための負圧を生ぜしめる内径狭窄部を有することを特徴とする、請求項１４記載の水処理用凝集剤製造装置。
【請求項１６】
循環用配管内には、上記各流入混合部の近傍位置に、第２の原料液及び／又は第３の原料液と第１の原料液とを撹拌して混合させる装置が設けられていることを特徴とする、請求項１４記載の水処理用凝集剤製造装置。
【請求項１７】
ケイ酸アルカリ水溶液からなる原料液を含む複数種の原料液をそれぞれ収容する複数の原料液収容槽を有する水処理用凝集剤製造装置であって、第１の原料液収容槽と、いずれか一方はケイ酸アルカリ水溶液の収容槽である第２の原料液収容槽及び／又は第３の原料液収容槽と、第１の原料液収容槽内の収容液を当該槽から流出させて再び当該槽内に流入させるように循環させるための循環用配管とを有し、上記循環用配管には、前記第１の原料液の収容槽内に挿入配置しうる、循環液吸込用端部及び循環液吐出用端部、ならびに、循環液の循環途中において前記第２の原料液収容槽及び／又は前記第３の原料液収容槽から供給される原料液を管内に流入して混合させるための流入混合部が設けられていることを特徴とする、水処理用凝集剤製造装置。
【請求項１８】
上記循環用配管内の流入混合部の近傍において、第２の原料液及び／又は第３の原料液を吸引するための負圧を生ぜしめるための内径狭窄部が設けられていることを特徴とする、請求項１７記載の水処理用凝集剤製造装置。
【請求項１９】
上記循環用配管内流入混合部の近傍に、第２の原料液及び／又は第３の原料液と第１の原料液とを撹拌によって混合する装置が設けられていることを特徴とする、請求項１７記載の水処理用凝集剤製造装置。
【請求項２０】
循環用配管が、第２の原料液の流入孔部及び／又は第３の原料液の流入孔部位置から分岐する分岐管を有し、分岐管の先端は、第２原料液の収容槽及び／又は第３原料液の収容槽内に挿入配置しうる原料液吸込用端部として形成されていることを特徴とする、請求項１７、１８又は１９の記載の水処理用凝集剤製造装置。
【発明の詳細な説明】
【技術分野】
【０００１】  本発明は、水中に存在する不純物を凝集化して排除する、水の浄化処理を行うための凝集剤、特に重合ケイ酸を含有する水処理用凝集剤の製造方法及び製造装置に関する。
【背景技術】
【０００２】
【特許文献１】特公平４−７５７９６
【特許文献２】特許第２７３２０６７号公報
【特許文献３】特開平１１−９０１１１
【特許文献４】特開平１１−３４９３２２
【特許文献５】特開２０００−９３７０４
【特許文献６】特開２０００−１５４０１３
【特許文献７】特開２００１−７０７０８
【特許文献８】特開２００３−３８９０８
【０００３】  近時、上水その他の各種用水又は排水中に存在する懸濁物質等を凝集して水中から排除するための凝集剤として、重合ケイ酸（活性シリカ）と金属塩（主として塩化第二鉄）を含む凝集剤が注目されている。従来用いられているＰＡＣや硫酸バンドが、処理水中に、アルツハイマー症を招く懸念があるアルミニウムイオンが残留したり、藻類の凝集には効果が薄い等の指摘がなされているためである。【０００４】  重合ケイ酸と金属塩とを含む水処理用凝集剤の製造方法については、本出願人の出願にかかる「特許文献１」及び「特許文献２」の発明以来、上記「特許文献３」ないし「特許文献８」に見られるように、多くの提案がなされており、これらの提案の多くは、活性シリカ特有のゲル化し易い傾向についての防止（すなわち、保存性の向上）、ならびに、凝集剤製造に至るまでに必要な各種の混合槽等の省略による製造過程の簡略化を目的とするものである。【０００５】  すなわち、「特許文献３」及び「特許文献４」の提案は、酸性の第二鉄塩水溶液の槽中にアルカリ性のケイ酸ナトリウム水溶液を添加混合して反応重合させる方式を用いることによって、「水ガラス酸性化槽、シリカ重合槽の省略」等により製造工程を簡略化し、かつ、製造した凝集剤をすみやかに使用に供しうるようにすることを目的とするものであり、「特許文献５」及び「特許文献６」の提案は、それに加えて、「鉱酸及びアルカリ剤の使用不要」等による製造簡略化を目的とし、「特許文献７」の提案は、弱酸性のケイ酸水溶液を特定範囲の温度に加熱した状態下において撹拌重合させる方法を用いることによる、製造過程の簡略化を目的とするものである。これらの提案においては、各原料の混合、添加の順序については様々な態様が記載されているが、いずれも、反応槽を用いて、その槽内で酸性溶液とケイ酸ナトリウム水溶液とを混合反応させる点、すなわち、いわゆるバッチ方式である点においては共通している。【０００６】  上記のようなバッチ方式は、当然のことながら、各原料溶液の貯留槽の外に、混合撹拌用の反応槽を有する装置が必要となり、また、一時に大量の凝集剤を製造する必要がある場合にも対応しうるように、各槽を或る程度大容量のものとしなければならないので、装置全体が大型化することは避け難い。しかも、ケイ酸のゲル化を避けるためには、酸性溶液中へのアルカリ性溶液の添加（又はその逆の添加）は、添加量を慎重に制御しつつ一定の時間をかけて行わなければならないため、作業が煩雑でしかも長時間を要するという難点がある。【０００７】  水処理用凝集剤の製造方法や製造装置について特に留意しなければならないことは、実際の浄水処理に際しては大量の凝集剤が必要であり、しかも、現実に各地に設置されている浄水施設の規模は、大小様々だということである。例えば、実際の浄水施設は、浄水能力が１日数百トン程度の小規模のものから、１日百万トンを超えるような巨大な浄水場に至るまで多様であり、また、例えば１日の処理能力が１万トン程度の中規模の浄水場では、必要な凝集剤の量は１日当たり１トン前後であるが、１日の処理能力が１０万トンの規模の浄水場では、必要な凝集剤の量は１日１０トンにも達することになる。【０００８】  一方、前記の各特許文献で提案されているバッチ式製造方法においては、各文献に記載されている実施例は、いずれも小規模のものであって、実際の浄水施設において必要とされる凝集剤量の製造とはかけ離れている。したがって、たとえ試験管的規模の製造のためには注目すべき方法であっても、トン単位の製造のためには大規模な装置が必要となり、凝集剤の製造場所（製造装置の設置場所）と使用場所との関係をどのように考えるべきかが大きな問題となる。例えば、小規模の浄水場にとって凝集剤製造装置の設置や製造要員の常時配置は困難であり、一方、他所で製造した凝集剤の運搬には、運搬コストや凝集剤のゲル化防止上の困難性があった。この点に、ケイ酸ナトリウムを含む凝集剤の使用意義が注目されながら、現実にはその使用が普及し難い大きな要因の一つが存在していた。【０００９】  「特許文献８」の発明は、この問題に着目してなされたものである。すなわち、その発明では、酸性溶液とケイ酸ナトリウム水溶液とを混合反応させる際に、反応槽内における混合撹拌方式を用いず、両者を特定以上の速度で衝突させて混合反応させる方式を提案している。例えば、Ｙ字型に形成した筒体を用い、Ｙ字の両上端側の一方からは硫酸、塩酸等の無機酸水溶液を、秒速５ｍ以上の高流速で流入させ、他方からはケイ酸塩水溶液を同じ高流速で流入させて、Ｙ字管内の分岐部で両者を衝突反応させてシリカゾルとし、Ｙ字管の下方側に流出させる。Ｙ字管から流出したシリカゾル混合液は、撹拌熟成槽内で熟成させた後に塩化第二鉄等の金属塩水溶液と混合して凝集剤とするものである。【００１０】  上記の方法によれば、酸性溶液とケイ酸ナトリウム水溶液とを混合撹拌して反応させる大容量の反応槽の設置を省略しうるため、凝集剤製造装置を小型化することもできるので、例えば製造装置一式をトラック等の運搬車両に積載し、原料槽が設置されている浄水場等に随時出向いて凝集剤の製造を行うことができる。したがって、浄水場等の製造現場に製造装置を設置したり製造要員を配置する必要をなくすことができ、ケイ酸ナトリウムを用いる凝集剤の実用化に大きく寄与することができる。【００１１】  しかし、上記の「特許文献８」の提案は、Ｙ字型装置内への原料溶液の注入速度を毎秒５ｍ以上という非常な高速としなければならないため、高速注入に適応しうる２台のポンプが必要となる。また、高速注入による２液の衝突混合による重合反応であるから、２液の流量バランスの計測と精密な制御のための機構が必要とならざるをえない。このため、装置の製造コストが高くなることを免れ難いという難点があった。
【発明の開示】
【発明が解決しようとする課題】
【００１２】  本発明は、上記の課題を解決し、水処理現場において、必要の都度、必要量の凝集剤をすみやかに製造しうる製造方法及び装置の提供を目的とするものである。
【課題を解決するための手段】
【００１３】  本発明においては、凝集剤製造のための第１の原料液の収容槽に収容されている原料液が、槽の外部に配設された配管によって相互に連結された流出口と流入口を介して、上記配管を通じて循環され、その循環途中において、循環用配管に設けられた流入混合部から、第２の原料液又はさらに第３の原料液が循環流中に添加混合されて、ケイ酸の重合反応が始まり、添加を受けた混合溶液が、前記流入口から再び第１の原料液の収容槽内に戻される。戻された混合液は槽内において第１の原料液収容槽内の原料液と混和した状態となって再び循環に供される。この過程を繰り返すことによって、槽内の溶液は、次第にケイ酸濃度の高いものとなり、凝集剤が製造されるに至る。【００１４】  本発明の方法の第１の形態においては、請求項１ないし３に記載されているように、２槽の原料液槽が用いられる。すなわち、原料液として、第１の原料液槽に収容された第１の原料液と、第２の原料液槽に収容された第２の原料液が用いられる。第１の原料液としては、金属塩水溶液（例えば塩化第二鉄水溶液）のみを用いる場合と、金属塩水溶液と鉱酸（例えば硫酸）との混合液を用いる場合とがあるが、上記いずれの場合においても、第２の原料液としては、ケイ酸アルカリ水溶液（例えばケイ酸ナトリウム水溶液）が用いられる。【００１５】  本発明の方法の第２の形態においては、請求項４ないし８に記載されているように、３槽の原料液槽が用いられる。すなわち、原料液として、第１の原料槽に収容された第１の原料液、第２の原料槽に収容された第２の原料液ならびに、第３の原料槽に収容された第３の原料液が用いられる。第１の原料液としては、金属塩水溶液又は鉱酸が用いられ、第２の原料液としては、金属塩水溶液、ケイ酸アルカリ水溶液又は鉱酸のうちの第１の原料液として用いられなかったものが用いられ、第３の原料液としては、金属塩水溶液、ケイ酸アルカリ水溶液又は鉱酸のうちの第１の原料液又は第２の原料液として用いられなかったものが用いられる。【００１６】  上記第２の形態において、第１の原料液として鉱酸又は金属塩を、第２の原料液として金属塩水溶液又は鉱酸を、第３の原料液としてケイ酸アルカリ水溶液を用いる方法は、金属塩水溶液と鉱酸とが混合された状態においてケイ酸アルカリ水溶液が添加されることになる点においては前記第１の形態と同じである。また、鉱酸が第３の原料液として用いられる方法は、前記第１の形態の方法の実施の後に、ｐＨ調節のための原料液（鉱酸）が添加されることになる。【００１７】  循環用配管内への第２の原料液及び／又は第３の原料液の流入は、請求項１２に記載されているように、循環用配管内において前記流入及びその混合部近傍に負圧を生ぜしめ、それによって第２の原料液及び／又は第３の原料液を吸引して混合する方法を用いることができ、或いは、請求項１３に記載されているように、循環用配管内において流入混合部の近傍に設けられた撹拌式の混合装置を用いる方法とすることができる。【００１８】  本発明にかかる水処理用凝集剤の製造装置は、請求項１４に記載されているように、第１の原料液の収容槽の外部に、当該槽の流出口と流入口とを連結して第１の原料液を循環させ、かつ、循環途中において第２の原料液又はさらに第３の原料液を管内に流入して混合させるための流入混合部を有する、循環用配管を備えるものである、すなわち、第１の原料液の収容槽と、第２の原料液の収容槽と、或いはさらに第３の原料液の収容槽と、上記第１の原料液の収容槽内の収容液を当該槽から流出させた後に再び当該槽内に流入させる循環用配管とを有し、上記循環用配管には、循環途中において上記第２の原料液の収容槽及び／又は第３の原料液槽内の収容液を配管内に流入して混合させるための流入混合部が設けられている装置である。【００１９】    本発明にかかる装置の上記流入混合部は、請求項１５及び１６に記載されているように、上記循環用配管途中の第２の原料及び又は第３の原料の流入混合部近傍において、上記流入原料を吸引流入させる負圧を生ぜしめる内径狭窄部を設ける構成、或いは、第２の原料液又は第３の原料液の流入混合装置として、循環用配管内の上記各原料の流入混合部の近傍に設けられた、撹拌式混合装置を用いることができる。【００２０】
本発明にかかる装置は、すでに各種原料槽を有する浄水場施設等に随時出向いて本発明方法を実施することができるように、循環用配管を有して車載運搬しうる装置とすることができる。すなわち、請求項１７ないし２０に記載されているように、第１の原料液の収容槽内の収容液を当該槽から流出させてそれを再び当該槽に流入させるように循環させるための循環用配管を、第１の原料液の収容槽内に挿入して配置しうる二つの端部、すなわち、循環液吸込用端部及び循環液吐出用端部を有するものとし、かつ上記循環用配管には、循環液の循環途中において第２の原料液の収容槽及び／又は第３の原料液の収容槽から供給される原料液を管内に流入させるための流入混合部が設けられ、場合によっては、循環用配管に、先端を第２の原料液収容槽及び／又は第３の原料液収容槽内に挿入配置しうる分岐管を設けた装置とすることができる。
【００２１】  本発明の装置は、上記のとおり、凝集剤製造工場内に設置するほか、浄水場等の凝集剤使用現場に設置することもでき、また、車載して移動しうる装置として構成することもできる。凝集剤使用現場に設置する場合及び車載移動式装置を用いる場合には、すでに浄水場等に設置されている各原料槽をそのまま用いることができ、特に、車載移動式装置を用いる場合には、循環用配管やその分岐管（第２の原料液収容槽及び／又は第３の原料液収容槽に向けられる分岐管）に設けられている開口端部を各原料収容槽内に差し込むことによって、直ちに各槽の流出口や流入口を設定することができる。【００２２】  したがって、例えば小規模の浄水場等には、各原料の貯留槽のみを設置しておき、一方、各槽に差し込みうる先端部を備えた循環用配管ならびに、ポンプ等の溶液循環用稼動装置を備えた一式の装置を搭載した移動車両を用意し、該車両が、必要に応じて各浄水場に巡回出動しうる態勢をとることができ、それによって、小規模な浄水場が、貯留槽以外の凝集剤製造装置を設置したり、複雑な操作を必要とする製造要員を常に配置してりする必要を回避することができる。
【発明の効果】
【００２３】    本発明は次の効果を有する。
（１）  金属塩水溶液を含む第１の原料の貯留槽をそのまま混合反応槽として兼用できるので、凝集剤製造のための反応槽、すなわち、酸性の水溶液（金属塩水溶液、又は金属塩水溶液と鉱酸水溶液との混合液）とアルカリ性のケイ酸ナトリウム水溶液とを混合、撹拌して反応させるための特別な反応槽、を設置する必要がないため、装置の構成を簡略化し、かつ小型化することができる。
（２）  原料溶液の循環に必要な装置部分のみを、車載した移動式装置とし、貯留槽が設置されている製造現場に赴いて製造の実施を行うことができるので、特に小規模の浄水場等における凝集剤の製造のためには好適である。
（３）  酸性水溶液とケイ酸ナトリウム水溶液との適切な混合のための複雑な制御装置を用いる必要がないため、この観点からも装置の構成の簡略化とコストの低減を図ることができる。
（４）  使用用途等の必要に応じて鉱酸の使用量を調節し又は省略することができる。
【発明を実施するための最良の形態】
【００２４】  図１の記載を参照して、本発明の一態様を説明する。この実施態様は、二つの原料槽を用い、かつ、前記循環用配管への第２の原料液の流入混合用として、配管内に設けられた内径狭窄部を用いる実施態様の一例である。
図１において、１は収容量２００Ｌの第１原料貯留槽、２は収容量１００Ｌの第２原料貯留槽である。第１原料貯留槽１の流出口１ａと流入口１ｂは配管１３によって連結されており、配管１３の途中には、循環用ポンプ４、流量調節バルブ１０及び流量計５が取り付けられている。更に、配管１３には第２原料貯留槽２につながる流入混合部８が設けられている。流入混合部８は、配管１４によって第２原料貯留槽の流出口２ａと連結されている。配管１４の途中には流量調節バルブ１１及び流量計６が取り付けられている。１６は任意に設置しうる製品貯留槽であり、製品貯留槽１６を設置する場合には、配管１３に分岐管１７を設けて、製品貯留槽１６とつなぎ、分岐管１７にはバルブ１８を設ける。【００２５】  第２原料流入混合部の断面は、図４に示すように構成されている。すなわち、循環用配管１３には内径狭窄部１３ａが設けられており、この部分での循環流の管内噴出により管内に負圧が生じ、それによって配管１４の噴出口から第２原料液が配管１３内に吸引されて流入して第１原料液と混合され、その混合液が、配管１３内を進行して再び第１原料液収容槽１の流入口１ｂから第１原料槽内に流入することになる。槽内に流入した混合液は、噴流によってさらに第１原料液と混合状態となり、その混合液が再び流出口１ａから循環用配管内に流出され、上記と同様の手順によりさらに第２原料液と混合される。
上記のような循環、混合が繰り返されることによって、第１原料収容槽内の収容液のケイ酸アルカリ溶液の濃度及び混合液全体の重合度は次第に高まるので、所望の重合度に達した時点で液の循環を停止する。なお、循環操作続行中に、必要に応じてバルブ１８を開いて循環液の一部を製品貯留槽１６に流入させて貯留することもできる。【００２６】  次に、図２及び図３の記載を参照して、本発明の他の実施の態様を説明する。この実施態様においては、三つの原料槽を用い、かつ、前記循環用配管内への第２の原料液の流入混合用として、図２記載の方法においては配管内に設けられた内径狭窄部を用い、図３記載の方法においては配管内に設けられた撹拌式混合装置が用いられ、また、上記配管内への第３の原料液の流入混合用として、いずれの方法においても配管内に設けられた内径狭窄部を用いる実施態様である。
図２及び図３において、１は収容量２００Ｌの第１原料貯留槽、２は収容量１００Ｌの第２原料貯留槽、３は収容量１００Ｌの第３原料貯留槽である。第１原料貯留槽１の流出口１ａと流入口１ｂは、配管１３によって連結されており、配管１３の途中には、循環ポンプ４、循環流量調節バルブ１０及び流量計５が取り付けられている。さらに、配管１３には、第２原料貯留槽２につながる流入混合部８ならびに第３原料貯留槽３につながる流入混合部９が設けられている。流入混合部８は、配管１４によって第２原料貯留槽の流出口２ａと連結され、流入混合部９は、配管１５によって第３原料貯留槽の流出口３ａと連結されている。配管１４の途中には、図２の方法においては流量調節バルブ１１及び流量計６が設けられ、図３の方法においては送給ポンプ１９、流量調節バルブ１１及び流量計６が設けられている。配管１５の途中には、流量調節バルブ１２及び流量計７が設けられている。１６は任意に設置しうる製品貯留槽であり、製造貯留層１６を設置する場合には、配管１３に分岐管１７を設けて製品貯留層１６とつなぎ、分岐管１７にはバルブ１８を設ける。【００２７】  図２における流入混合部８及び９ならびに図３における流入混合部９の断面は、図４に示すように構成されている。すなわち、循環用配管１３の流入混合部８の部分には内径狭窄部１３ａが設けられており、この部分での循環流の管内噴出により管内に負圧が生じ、それによって配管１４又は１５から第２原料液が配管１３内に吸引されて流入する。また、図３における第２原料流入混合部８の近傍には、例えば、配管内に配設された複数の螺旋状固定翼又はスクリュー式回転翼等による混合撹拌装置８’が設けられ、配管１４に設けられたポンプ１９の作動によって配管１４から配管１３内に流入する第３原料液が、上記混合撹拌装置８’によって、第１原料液と撹拌混合され、その混合液はさらに流入混合部９において第３原料液と混合された後に配管１３内を進行して、第１原料液収容槽１の流入口１ｂから第１原料槽内に流入する。槽内に流入した混合液は拡散等によってさらに第１の原料液と混合状態となり、その混合液が再び流出口１ａから循環用配管内に流出され、前記と同様の手順により第２原料液及び第３原料液と混合される。【００２８】  上記のような循環、混合が繰り返されることによって、第１原料収容槽内の収容液のケイ酸アルカリ溶液の濃度及び混合液全体の重合度は次第に高まるので、所望の重合度に達した時点で液の循環を停止する。なお、循環操作続行中に、必要に応じてバブル１８を開いて循環液の一部を製品貯留槽１６に流入させて貯留することもできる。
また、上記の混合撹拌装置としては、配管内における液体の混合装置（インラインミキサー）として市販されている装置を用いることができる。
【実施例１】
【００２９】  本実施例は、２槽の原料貯留槽を用いた実施例である。原料貯留層１には、ボーメ比重４０の塩化第二鉄水溶液（ＦｅＣｌ３３７％）１４，２Ｌと濃度３．２％の硫酸１４．０Ｌを投入した後、機械撹拌等によって内部を混合した。原料貯留槽２には、ＳｉＯ２濃度４．３％の３号ケイ酸ナトリウム１５．４Ｌをそれぞれ投入した。
バルブ１０を開いた後に循環ポンプ４を起動して、配管１３内に循環流を生じさせ、流量計５の示度を確認しながら、流量調節バルブ１０の開度を加減し、配管１３内の流量が毎分４０Ｌになるように調節した。次にバルブ１１を開いて、原料貯留槽２内のケイ酸ナトリウム水溶液が、流入混合部８を通じて配管１３内に流入するようにし、流量計６の示度を確認しながら、流量調節バルブ１１の開度を加減し、ケイ酸ナトリウム水溶液の流量を毎分４Ｌになるように調節した。上記の循環及び流入を継続し、原料貯留槽２内の原料の残液量が０となった時点で、バルブ１１を閉じた。その後も配管１３内の循環を継続し、原料貯留槽１内における混合液の重合を進め、５分後にバルブ１０を閉じ、ポンプ４を停止して作業を終了した。この操作によって、原料貯留槽１内に５０ｋｇの凝集剤が生成したので、その物性を測定したところ、比重は１．１６（２０℃）であり、成分濃度は、ＳｉＯ２１．４％、Ｆｅ５．０％、Ｓｉ：Ｆｅのモル比は０．２５：１であった。
【実施例２】
【００３０】  以下の各実施例は、３槽の原料貯留槽を用いた実施例である。
第１原料貯留槽１には、ボーメ比重４０の塩化第二鉄水溶液（ＦｅＣｌ３３７％）１４．２Ｌを、第２原料貯留槽２には、ＳｉＯ２濃度４．３％の３号ケイ酸ナトリウム１５．４Ｌを、第３原料貯留槽３には、濃度３．２％の硫酸１４．０Ｌを、それぞれ投入した。バルブ１０を開いた後に循環ポンプ４を起動した、配管１３内に循環流を生じさせ、流量計５の示度を確認しながら、流量調節バルブ１０の開度を加減し、配管１３内の流量が毎分４０Ｌになるように調節した。次に、バルブ１１及び１２を開いて、第２原料貯留槽２内のケイ酸ナトリウム水溶液及び第３原料貯留槽の硫酸が、それぞれ流入混合部８及び９を通じて配管１３内に流入するようにし、流量計６及び７の示度を確認しながら、それぞれの流量が、いずれも毎分４Ｌになるように調節した。上記の循環及び流入を継続し、第２原料貯留槽２内の原料及び第３原料貯留槽３内の残液量が、それぞれ０になった時点で、それぞれバルブ１１及び１２を閉じた。その後も配管１３内の循環を継続し、第１原料貯留層１内における混合液の重合を進め、５分後にバルブ１０を閉じ、ポンプ４を停止して作業を終了した。この操作によって、第１原料貯留槽１内に５０ｋｇの凝集剤が生成したので、その物性を測定したところ、比重は１．１６（２０℃）であり、成分濃度は、ＳｉＯ２１．４％、Ｆｅ５．０％、Ｓｉ：Ｆｅのモル比は０．２５：１であった。
【実施例３】
【００３１】  第１原料貯留槽１には、ボーメ比重４０の塩化第二鉄水溶液（ＦｅＣｌ３３７％）２３．８Ｌを、第２原料貯留槽２には、ＳｉＯ２濃度８．８％の３号ケイ酸ナトリウム９．０Ｌを、第３原料貯留槽３には、濃度１０．４％の硫酸６．８Ｌをそれぞれ投入した後、実施例２と同様の手順で凝集剤の製造操作を行い、５０ｋｇの凝集剤を得た。製造された凝集剤の比重は１：２９、成分濃度はＳｉＯ２２．２％、Ｆｅ８．０％、ＳｉとＦｅとのモル比率はＳｉ：Ｆｅ＝０．２５：１であった。
【実施例４】
【００３２】  原料貯留槽１には、ボーメ比重４０の塩化第二鉄水溶液（ＦｅＣｌ３３７％）１４．２Ｌを、原料貯留槽２には、濃度３．２％の硫酸１４．０Ｌを、原料貯留槽３には、ＳｉＯ２濃度４、３％の３号ケイ酸ナトリウム１５．４Ｌをそれぞれ投入した。
バルブ１０を開いた後に循環ポンプ４を起動して、配管１３内の循環流を生じさせ、流量計５の示度を確認しながら、流量調節バルブ１０の開度を加減し、配管１３内の流量が毎分４０Ｌになるように調節した。次にバルブ１１を開いて、原料貯留槽２内の硫酸が、流入混合部８を通じて配管１３内に流入するようにし、流量計６の示度を確認しながら、流量調節バルブ１１の開度を加減し、硫酸の流量を毎分４Ｌになるように調節した。次にバルブ１２を開いて、原料貯留槽３内のケイ酸ナトリウム水溶液が、流入混合部９を通じて配管１３内に流入するようにし、流量計７の示度を確認しながら、流量調節バルブ１２の開度を加減し、ケイ酸ナトリウム水溶液の流量を毎分４Ｌになるように調節した。上記の循環及び流入を継続し、原料貯留槽２内の原料及び原料貯留槽３内の残量液が、それぞれ０となった時点で、それぞれ、バルブ１１及び１２を閉じた。その後も配管１３内の循環を継続し、原料貯留槽１内における混合液の重合を進め、５分後にバルブ１０を閉じ、ポンプ４を停止して作業を終了した。この操作によって、原料貯留槽１内に５０ｋｇの凝集剤が生成したので、その物性を測定したところ、比重は１．１６（２０℃）であり、成分濃度はＳｉＯ２１．４％、Ｆｅ５．０％、ＳｉとＦｅとのモル比率はＳｉ：Ｆｅ＝０．２５：１であった。
【実施例５】
【００３３】  原料貯留槽１には、ボーメ比重４０の塩化第二鉄水溶液（ＦｅＣｌ３−３７％）２３．８Ｌを、原料貯留槽２には、濃度１０．４％の硫酸６．８Ｌを、原料貯留槽３には、ＳｉＯ２濃度８．８％の３号ケイ酸ナトリウム９．０Ｌをそれぞれ投入した。
バルブ１０を開いた後に循環ポンプ４を起動して、配管１３内の循環流を生じさせ、流量計５の示度を確認しながら、流量調節バルブ１０の開度を加減し、配管１３内に流量が毎分４０Ｌになるように調節した。次にバルブ１１を開いて、原料貯留槽２内の硫酸が、流入混合部８を通じて配管１３内に流入するようにし、流量計６の示度を確認しながら、流量調節バルブ１１の開度を加減し、硫酸の流量を毎分４Ｌになるように調節した。次にバルブ１２を開いて、原料貯留槽３内のケイ酸ナトリウム水溶液が、流入混合部９を通じて配管１３内に流入するようにし、流量計７の示度を確認しながら、流量調節バルブ１２の開度を加減し、ケイ酸ナトリウム水溶液の流量を毎分４Ｌになるように調節した。原料貯留槽２内の原料及び原料貯留槽３内の残液量が、それぞれ０となった時点で、それぞれ、バルブ１１及び１２を閉じた。上記の循環及び流入を継続し、原料貯留槽１内における混合液の重合を進め、５分後にバルブ１０を閉じ、ポンプ４を停止して作業を終了した。この操作によって、原料貯留槽１内に５０ｋｇの凝集剤が生成したので、その物性を測定したところ、比重は１．２９（２０℃）であり、成分濃度はＳｉＯ２２．２％、Ｆｅ８．０％、Ｓｉ：Ｆｅとのモル比は０．２５：１であった。
【実施例６】
【００３４】  第１原料貯留槽１には、濃度３．４％の硫酸２１．９Ｌを、第２原料貯留槽２にはボーメ比重４０の塩化第二鉄水溶液（ＦｅＣｌ３３７％）１．９Ｌを、第３原料貯留槽３にはＳｉＯ２濃度４．４％の３号ケイ酸ナトリウム２４．０Ｌを、それぞれ投入した後、前記実施例と同様の手順で凝集剤の製造操作を行い、５０ｋｇの凝集剤を得た。製造された凝集剤の比重は１．０４、成分濃度はＳｉＯ２２．２％、Ｆｅ０．７％、ＳｉとＦｅとのモル比率はＳｉ：Ｆｅ＝３：１であった。
【図面の簡単な説明】
【００３５】
【図１】本発明の水処理用凝集剤製造装置の一実施態様の概略模式図。
【図２】本発明の水処理用凝集剤製造装置の他の一実施態様の概略模式図。
【図３】本発明の水処理用凝集剤製造装置のさらに他の一実施態様の概略模式図。
【図４】図１の製造装置の第２原料吸入孔部８近傍部の拡大断面概略図。
【符号の説明】
【００３６】１      第１原料貯留槽
１ａ    流出口
１ｂ    流入口
２      第２原料貯留槽
２ａ    流出口
３      第３原料貯留槽
３ａ    流出口
４      循環ポンプ
５      第１原料流量計
６      第２原料流量計
７      第３原料流量計
８      第２原料流入混合部
８’    混合撹拌装置
９      第３原料吸入孔部
１０    循環流量調節バルブ
１１    第２原料流量調節バルブ
１２    第３原料流量調節バルブ
１３    循環用配管
１４    第２原料供給用配管
１５    第３原料供給用配管
１６    製品貯留槽
１７    分岐管
１８    バルブ
１９    第２原料送給ポンプ
【図１】
0004410221.tif 000002
【図２】
0004410221.tif 000003
【図３】
0004410221.tif 000004
【図４】
0004410221.tif 000005